(57)【要約】【課題】視覚障がい者が触れて時刻を把握しやすく、しかも健常者が利用しても違和感が無い時計を提供する。【解決手段】表面が平面状の円形の中心盤２と、中心盤２の外側に配置され、環状であり、周方向に徐々に表面の高さが低くなり環状に一周した箇所において第一段差部４ａが形成され、しかも時計回りに１２時間で一回転する時針盤４と、時針盤４の外側に配置され、環状であり、周方向に徐々に表面の高さが低くなり環状に一周した箇所において第二段差部５ａが形成され、しかも時計回りに６０分で一回転する分針盤５と、を備えることを特徴とする。【選択図】図１
2020056634.tif 000002
【特許請求の範囲】
【請求項１】
表面が平面状の円形の中心盤と、
前記中心盤の外側に配置され、環状であり、周方向に徐々に表面の高さが低くなり環状に一周した箇所において第一段差部が形成され、しかも時計回りに１２時間で一回転する時針盤と、
前記時針盤の外側に配置され、環状であり、周方向に徐々に表面の高さが低くなり環状に一周した箇所において第二段差部が形成され、しかも時計回りに６０分で一回転する分針盤と、を備えることを特徴とする時計。
【請求項２】
前記第一段差部の上端及び前記第二段差部の上端の高さ位置が前記中心盤の表面と同じ高さであることを特徴とする請求項１に記載の時計。
【請求項３】
前記中心盤、前記時針盤、及び前記分針盤を収納する枠体を備え、
前記枠体に対し、前後方向に延びるベルトを取り付けたことを特徴とする請求項１又は２に記載の時計。
【発明の詳細な説明】
【技術分野】
【０００１】
本発明は、視覚障がい者と健常者の両者が使用可能な時計に関するものである。
【背景技術】
【０００２】
視覚障がい者向けに開発されたプロダクトは過剰に大きい等、見た目だけで視覚障がい者向けだと判断できるものが数多く存在する。
そのように身につけたり使用しているだけで、使用者を視覚障がい者だと判断できるようなプロダクトは身体障がい者を差別することにも繋がる。
【０００３】
そこで、視覚障がい者と健常者の両者が使用可能なプロダクト、その中でも腕時計が開示されている。
このような腕時計として、見た目は通常の腕時計だが風防を開閉することができるものがある。
【０００４】
しかし、このような腕時計では風防を開いて直接針に触れて時間を読み取る為、容易に針が動いてしまうので、時刻表示が正確でなくなったり、時計が壊れてしまったりすることがある。
【０００５】
そこで、分針と時針がボールで置き換えられた腕時計が開示されている（例えば、非特許文献１参照）。
この腕時計は、分針の代わりのボールをフェイス上に、時針の代わりのボールを側面に配置して、その二つのボールを触ることで時間を確認することができる。
また、それらのボールは磁石により内部の機構と固定されているので、ボールに外力が加わったときに一時的にボールが外れ、それにより故障を防ぐことができる。
【先行技術文献】
【非特許文献】
【０００６】
【非特許文献１】株式会社ＭＯＮＯＣＯ、“さわる時計『ＥＯＮＥ』”、［ｏｎｌｉｎｅ］、［平成３０年９月２５日検索］、インターネット〈ＵＲＬ：ｈｔｔｐｓ：／／ｗｗｗ．ｍｏｎｏｃｏ．ｊｐ／ｂｒａｎｄ／ｅｏｎｅ〉
【発明の概要】
【発明が解決しようとする課題】
【０００７】
しかしながら、このような腕時計は分針と時針が同一平面上に無いので、一目で時刻を把握することが難しいという問題がある。
特に、健常者にとってはこの時計と通常の時計との違いが大きいので、健常者がこの時計を使用するには違和感があり、健常者が利用する積極的な理由が無い。
【０００８】
そこで、本発明の目的とするところは、視覚障がい者が触れて時刻を把握しやすく、しかも健常者が利用しても違和感が無い時計を提供することにある。
【課題を解決するための手段】
【０００９】
上記の目的を達成するために、本発明の請求項１に記載の時計（１００）は、
表面が平面状の円形の中心盤（２）と、
前記中心盤（２）の外側に配置され、環状であり、周方向に徐々に表面の高さが低くなり環状に一周した箇所において第一段差部（４ａ）が形成され、しかも時計回りに１２時間で一回転する時針盤（４）と、
前記時針盤（４）の外側に配置され、環状であり、周方向に徐々に表面の高さが低くなり環状に一周した箇所において第二段差部（５ａ）が形成され、しかも時計回りに６０分で一回転する分針盤（５）と、を備えることを特徴とする。
【００１０】
また、請求項２に記載の時計（１００）は、
前記第一段差部（４ａ）の上端及び前記第二段差部（５ａ）の上端の高さ位置が前記中心盤（２）の表面と同じ高さであることを特徴とする。
【００１１】
また、請求項３に記載の時計（１００）は、
前記中心盤（２）、前記時針盤（４）、及び前記分針盤（５）を収納する枠体（１）を備え、
前記枠体（１）に対し、前後方向に延びるベルト（Ｂ）を取り付けたことを特徴とする。
【００１２】
ここで、上記括弧内の記号は、図面および後述する発明を実施するための形態に掲載された対応要素または対応事項を示す。
【発明の効果】
【００１３】
本発明の請求項１に記載の時計によれば、周方向に徐々に表面の高さが低くなり環状に一周した箇所において第一段差部が形成された時針盤と、周方向に徐々に表面の高さが低くなり環状に一周した箇所において第二段差部が形成された分針盤と、を備えるので、障がい者が第一段差部及び第二段差部を触ることで時刻を把握し易い。
また、第一段差部と第二段差部を視認することで健常者も時刻を把握することができる。
また、第一段差部と第二段差部は略同一平面上に存在するので、通常の時計の時刻の表示に近く、スマートでシンプルな外観となる。よって、この時計を健常者が利用しても違和感が無い。
【００１４】
また、請求項２に記載の時計によれば、請求項１に記載の発明の作用効果に加え、第一段差部の上端及び第二段差部の上端の高さ位置が中心盤の表面と同じ高さであるので、中心盤と時針盤の境界や、時針盤と分針盤の境界を触って、どれが時針盤でどれが分針盤であるかを認識し易い。また、シャープな外観にもなる。
【００１５】
また、請求項３に記載の時計によれば、請求項１又は２に記載の発明の作用効果に加え、枠体に対し、前後方向に延びるベルトを取り付けたので、触れて又は見て１２時や６時の方向を容易に知ることができる。
【００１６】
なお、本発明の時計のように、第一段差部が形成された時針盤と第二段差部が形成された分針盤を備える点は、上述した非特許文献１には全く記載されていない。
【図面の簡単な説明】
【００１７】
【図１】本発明の実施形態に係る時計を示す斜視図である。
【図２】本発明の実施形態に係る時計を示す平面図である。
【図３】図２に示す時計の断面図である。
【図４】図１に示す時計の内部機構を示す斜視図である。
【図５】図４に示す時計の内部機構のうち、特に内部時針盤を示す。
【図６】図４に示す時計の内部機構のうち、特に内部分針盤を示す。
【図７】図１に示す時計にベルトを取付けた状態を示す斜視図である。
【発明を実施するための形態】
【００１８】
図１乃至図７を参照して、本発明の実施形態に係る時計１００を説明する。
この時計１００は、外観に表れるパーツとしては主に中心盤２と、時針盤４と、分針盤５と、を備える。
【００１９】
中心盤２は、この時計１００の中央部分においてその上面（表面）が露出するように配置される。ここで、本明細書における上下方向は時計１００の厚さ方向である。
中心盤２は平面視円形であって、中心盤２の表面は平面状となっている。
【００２０】
時針盤４は、中心盤２の外側に、中心盤２に隣接するように配置される。時針盤４と中心盤２との隙間は時針盤４が回転可能なだけ設けられているが、この隙間は狭いほうが好ましい。
そして、時針盤４は平面視で環状である。
また、その表面は周方向に（本実施形態においては反時計回りに）徐々に表面の高さが低くなり、環状に一周した箇所において高さ位置が異なるように環が接続されてなることで第一段差部４ａが形成されている。
この第一段差部４ａが形成するラインは平面視で径方向に延びる。すなわち、通常の時計１００の針が延びる方向にこのラインは延びている。
【００２１】
第一段差部４ａの上端の高さ位置は中心盤２の表面と同じ高さである。つまり、時針盤４において中心盤２の高さ位置と同じ高さの箇所は上端のみで、それ以外の時針盤４の箇所は中心盤２表面よりも高さ位置が低い。
そして、時針盤４は通常の時計の時針のように、時計回りに１２時間で一回転する。
【００２２】
分針盤５は、時針盤４の外側に、時針盤４に隣接するように配置される。分針盤５と時針盤４との隙間は分針盤５及び時針盤４が回転可能なだけ設けられているが、この隙間は狭いほうが好ましい。
また、その表面は周方向に（本実施形態においては反時計回りに）徐々に表面の高さが低くなり、環状に一周した箇所において高さ位置が異なるように環が接続されてなることで第二段差部５ａが形成されている。
第二段差部５ａが形成するラインも平面視で径方向に延びる。
【００２３】
第二段差部５ａの上端の高さ位置は中心盤２の表面と同じ高さである。つまり、分針盤５において中心盤２の高さ位置と同じ高さの箇所は上端のみで、それ以外の分針盤５の箇所は中心盤２表面よりも高さ位置が低い。
また、分針盤５は通常の時計１００の分針のように、時計回りに６０分で一回転する。
【００２４】
そして、中心盤２、時針盤４、及び分針盤５を収納する枠体１を備え、一方、時針盤４や分針盤５を保護する風防は備えない。この枠体１とは時計１００の周面を形成し、枠体１の下端には下蓋３がある。
【００２５】
次に、枠体１に収められる内部機構、つまり回転機構について説明する。
枠体１の内側には筒状のリングケース９が枠体１内側に接するように配置され、そのリングケース９には円盤状のレール盤１０が載置されている。
レール盤１０は枠体１の内部において上下方向略中央に配置されている。このレール盤１０は非磁性体であり磁場を遮断しない材質のものである。
【００２６】
時針盤４及び分針盤５は、容易にレール盤１０上を摺動回転するようにボールベアリング７を介してレール盤１０上に載置されている。
また、時針盤４及び分針盤５の下部には磁石６を内蔵した。
【００２７】
レール盤１０の下方には、ムーブメントケース８の上に、環状の内部時針盤１７と、内部時針盤１７の外方に環状の内部分針盤１６がある。
モーター１１の動力をスパイラルギア１２を介して時針ギア１３に伝え、これにより内部時針盤１７を回転させる。内部分針盤１６の回転が時計回りに１２時間で一回転となるようにギア比やモーター１１の回転を調整している。
【００２８】
また、時針ギア１３には直接的又は間接的に分針ギア１５が接続され、分針ギア１５によって内部分針盤１６を回転させる。内部時針盤１７の回転は時計回りに６０分で一回転となるようにギア比やモーター１１の回転を調整している。
【００２９】
ここで、内部時針盤１７及び内部分針盤１６にも磁石６を内蔵しており、内部時針盤１７の磁石６はレール盤１０を挟んで時針盤の磁石６と引き合い、内部分針盤１６の磁石６は同様にレール盤１０を挟んで分針盤５の磁石６と引き合う。
このような構造とすることで、磁力によって時針盤４や分針盤５が追従する。つまり、内部時針盤１７の回転に伴い時針盤４が回転し、内部分針盤１６の回転に伴い分針盤５が回転する。
【００３０】
以上のように構成された時計１００によれば、周方向に徐々に表面の高さが低くなり環状に一周した箇所において第一段差部４ａが形成された時針盤４と、周方向に徐々に表面の高さが低くなり環状に一周した箇所において第二段差部５ａが形成された分針盤５と、を備えるので、障がい者が第一段差部４ａ及び第二段差部５ａを触ることで時刻を把握し易い。
また、第一段差部４ａと第二段差部５ａを視認することで健常者も時刻を把握することができる。
また、第一段差部４ａと第二段差部５ａは略同一平面上に存在するので、通常の時計１００の時刻の表示に近く、スマートでシンプルな外観となる。よって、この時計１００を健常者が利用しても違和感が無い。
【００３１】
さらに、第一段差部４ａの上端及び第二段差部５ａの上端の高さ位置が中心盤２の表面と同じ高さであるので、中心盤２と時針盤４の境界や、時針盤４と分針盤５の境界を触って、どれが時針盤４でどれが分針盤５であるかを認識し易い。また、シャープな外観にもなる。
【００３２】
なお、図７に示す通り、枠体１に対し、前後方向に延びるベルトＢを取り付けて腕時計１００としたときには、触れて又は見て１２時や６時の方向を容易に知ることができる。
この時計１００は腕時計に限られず、置き時計や懐中時計等の他の時計１００にも適用することができる。
【００３３】
また、本実施形態において、時針盤４や分針盤５の表面は、反時計回りに徐々に表面の高さが低くなるとしたが、これに限られるものではなく、反時計回りに徐々に表面の高さが低くなってもよい。
さらには、時針盤４及び分針盤５のうち、一方を時計回りに徐々に表面の高さを低くし、他方を反時計回りに徐々に表面の高さを低くしてもよい。
【００３４】
また、第一段差部４ａの上端及び第二段差部５ａの上端の高さ位置が中心盤２の表面と同じ高さとしたが、これに限られるものではない。
また、時針盤４や分針盤５の回転機構は本実施形態に示すものに限られるものではなく、一例を示したに過ぎない。
【符号の説明】
【００３５】
１      枠体
２      中心盤
３      下蓋
４      時針盤
４ａ    第一段差部
５      分針盤
５ａ    第二段差部
６      磁石
７      ボールベアリング
８      ムーブメントケース
９      リングケース
１０      レール盤
１１      モーター
１２      スパイラルギア
１３      時針ギア
１４      ギア
１５      分針ギア
１６      内部分針盤
１７      内部時針盤
１００      時計
Ｂ      ベルト
【図１】
2020056634.tif 000003
【図２】
2020056634.tif 000004
【図３】
2020056634.tif 000005
【図４】
2020056634.tif 000006
【図５】
2020056634.tif 000007
【図６】
2020056634.tif 000008
【図７】
2020056634.tif 000009